(57)【要約】      （修正有）【課題】靴の中の暑くて湿気の多い空気に起因する不快感を解決する呼吸型通気性靴の提供。【解決手段】少なくともアウトソール１と、弾性ミッドソール２と、アッパー３と、アッパー底部３１に接合されている、通気性の高いミッドボトム層４とを含む。アウトソール１は、足の靴底を支える腹部充填エリア１１と、腹部充填エリア１１の周辺部からわずかに上昇した接合エリア１２とからなる。弾性ミッドソール２は、ナイロンフィラメントを絡ませて織ってアウトソール１の腹部充填エリア１１を覆う３次元メッシュマットを形成する。アッパー３は、アッパー底部３１によりミッドボトム層４に固定される。並びにアッパー底部３１によりアウトソール１の接合エリア１２に粘着されている。アウトソール１、弾性ミッドソール２、およびミッドボトム層４が、互いに空気を流通する通気連通路１１１を形成する。【選択図】図１
0003217443.tif 000002
【実用新案登録請求の範囲】
【請求項１】
一種の呼吸型通気性靴であり、少なくともアウトソールと、弾性ミッドソールと、アッパーと、アッパーの底部で結合されたミッドボトム層と、を含み、前記アウトソール、前記弾性ミッドソール、および前記ミッドボトム層が、互いに連通する連通路を形成し、
前記アウトソールは、足の底部を運ぶ充填エリアと、前記充填エリアの周りをわずかに上昇する接合エリアとからなり、前記弾性ミッドソールは、ナイロンフィラメントを絡ませて織って前記アウトソールの腹部充填エリアを覆う３次元メッシュマットを形成することにより形成され、前記アッパーは、前記アッパー底面と前記ミッドボトム層により固定され、前記アッパー底面は、前記アウトソールの前記接合エリアに接着されていることを特徴とする、呼吸型通気性靴。
【請求項２】
前記腹部充填エリアは、複数の十字交差する連通路を有することを特徴とする、請求項１記載の呼吸型通気性靴。
【請求項３】
前記弾性ミッドソールの三次元ネットワークは、上下の平面メッシュと、中間層の複数縦方向の支持リブとで構成されていることを特徴とする、請求項１記載の呼吸型通気性靴。
【請求項４】
前記ミッドボトム層は、通気性の高い織布で形成されていることを特徴とする、請求項１記載の呼吸型通気性靴。
【考案の詳細な説明】
【技術分野】
【０００１】
本考案は靴に関し、特に呼吸型通気性靴に関するものである。
【０００２】
靴の中の暑くて湿気の多い空気に起因する不快感を解決するために、様々な種類の通気性靴が製造されている。その中で、市場で注目されているイタリアのＧＥＯＸ社が製造した通気性靴は、複数の通気孔がアウトソールとミッドソールの前足部に対称的に配置されている。ＧＯＲＥ−ＴＥＸ防水フィルムがミッドソールに接着され、靴の内部の高温および多湿の空気が走行中に通気孔から排出されるようにして、人間の呼吸に類似するように新鮮な空気を靴に取り替えることによって靴内の乾燥の目的を達成する。そして、多くの同様の通気性靴が市販されている。
【先行技術文献】
【特許文献】
【０００３】
【特許文献１】台湾特許Ｍ４９７９３３号明細書
【特許文献２】台湾特許Ｍ４５８８４５号明細書
【特許文献３】台湾特許Ｍ４５７４５０号明細書
【０００４】
台湾特許Ｍ４９７９３３号「空気を呼吸する靴パット」の明細書には、呼吸性ミッドソールは、上部靴パット、下部靴パット、中間フォームパッドから構成され、前足とかかとに通気孔があり、発泡体、ゴムスリーブ、ゴムホースなどを使用し、ゴムホースを使用して通気口を靴の外部に接続することが開示されている。
【０００５】
出願人の台湾特許Ｍ４５８８４５「呼吸型通気性靴」には、アウトソールおよびミッドソールに対応する複数の十字交差し相互接続されたネットワーク状連通路が設置されることが開示されている。連通路は、靴の前部と後部との間を循環するための少なくとも1つの出口を確保しており、複数の通気孔が連通路に予め設置されている。
アウトソールは、通気孔のいずれかに開いた上向きの半円形の穴を有し、ミッドソールは、アウトソールに対応するように下向きの半円形の開口部と通気孔を有する。アウトソールとミッドソールが組み合わされた後、2つの半円形の穴によって形成された空気室は通気孔と協働して靴の中の暑くて湿気の多い空気を外面の連通路を介して外部の新鮮な空気と交換し、靴の内側が乾燥になる目的を達成できる。
【０００６】
別の例では、本出願人の台湾特許Ｍ４５７４５０「呼吸機能付きエアマットヒール」には、エアバッグは、溝に実質的に対応する輪郭を有するパネルと、パネルの下方に一体的に下方に延びる複数のしわ袋部とを有することが開示されている。また、エアバッグには、進気通路に進入する吸気カテーテルが接続され、排気孔に進入する少なくとも1つの排気カテーテルも接続されている。使用時には、靴と外気との間の空気循環は、エアバッグが繰り返し圧縮され膨張されて呼吸サイクル効果を生じることによって引き起こされる。
【考案の概要】
【考案が解決しようとする課題】
【０００７】
通常、靴の中の暑くて湿気の多い空気は不快感を感じさせる。
【０００８】
前記課題を解決するため、本考案の考案者は数々の研究改良を経て、ついに本考案の呼吸型通気性靴を提供する。
【課題を解決するための手段】
【０００９】
前記目的を達成するために、本考案は一種の呼吸型通気性靴を提供し、本考案の呼吸型通気性靴は少なくとも、アウトソールと、弾性ミッドソールと、アッパーと、アッパーの底面で結合されたミッドボトム層と、を含み、通気性の高いミッドソールがアッパー底面に接合されている。
【００１０】
その中で、アウトソールは、足の底部を運ぶ充填エリアと、充填エリアの周りをわずかに上昇する接合エリアとからなる。弾性ミッドソールは、ナイロンフィラメントを絡ませて織って上記アウトソールの腹部充填エリアを覆う３次元メッシュマットを形成することにより形成されている。アッパーは、アッパー底面とミッドボトム層に固定され、アッパー底面は、アウトソールの接合エリアに接着されている。
【考案の効果】
【００１１】
アウトソール、弾性ミッドソール、およびミッドボトム層が、互いに空気を流通する通気連通路を形成することにより、靴の中の暑くて湿った空気が、循環と拡散に十分なスペースを有し、急速冷却の目的を達成できる。
【図面の簡単な説明】
【００１２】
【図１】本考案の分解斜視図と部分拡大図である。
【考案を実施するための形態】
【００１３】
次に、本考案の効果及び技術特徴についての説明に入る。本技術の熟知者は、以下の説明を読めば本考案の実現が可能となる。
【００１４】
以下の説明および図面は、本考案の特徴によって開示された実施形態であり、本考案の構造技術および特徴範囲をより容易に理解することができる。
【００１５】
図1を参照すると、本考案は、少なくともアウトソール１と、弾性ミッドソール２と、アッパー３と、アッパー底部３１に結合された高い通気性のミッドボトム層４とを含む呼吸型通気性靴を提供する。
【００１６】
アウトソール１は、足の靴底を支持する腹部充填エリア１１と、僅かに上昇した充填エリアの周りの接合エリア１２とからなり、そのうち、腹部充填エリア１１は、複数の十字交差する連通路１１１を有する。
【００１７】
弾性ミッドソール２は、ナイロンフィラメントを絡ませて織って、平面メッシュとして上下層２１、２２に織り込まれている。中間層２３は、上述した腹部充填エリア１１を覆う、複数の縦方向支持リブの3次元メッシュマットであり、換気効果及び減圧支持力に優れる。走行中に発生した高温多湿の空気は、弾性ミッドソール２とアウトソール１の連通路１１１の三次元網目を介して、循環と拡散のための十分なスペースで、迅速な冷却効果を達成する。
【００１８】
アッパー３およびミッドボトム層４の成形方法は、縫製された３組のアッパー３を木製靴型（図示せず）に嵌め込み、アッパー底部３１の方へ引き寄せて靴型下のミッドボトム層４に固定する。ミッドボトム層４は、通気性の高い織物材質で作られているので、前述の弾性ミッドソール２と連通することができる。
【００１９】
上記アッパー底部３１は、上記アウトソール接合エリア１２に接着され、ミッドボトム層４、弾性ミッドソール２および腹部充填エリア１１の連通路１１１は、互いに連通する連通管路を形成する。連通管路を介して、靴の中の暑くて湿った空気が、十分な空間を循環して拡散されることにより、急速冷却の目的を達成できる。
【００２０】
要約すると、本考案の技術的内容及び技術的特徴は上記のように明らかにされているが、技術に精通した者は、本考案の開示に基づいて考案の創造的精神から逸脱しない様々な代替及び改変を行うことができる。したがって、本考案請求項の保護の範囲は、実施形態に開示されたものに限定されるべきではなく、以下の実用新案出願によってカバーされ、考案から逸脱しない様々な置換および修飾を含むべきである。
【符号の説明】
【００２１】
１アウトソール
１１腹部充填エリア
１１１連通路
１２接合エリア
２弾性ミッドソール
２１上層
２２下層
２３中間層
３アッパー
３１アッパー底部
４ミッドボトム層
【図１】
0003217443.tif 000003